(57)【特許請求の範囲】
【請求項１】
ロータンク内に内タンクを設け、ボールタップを介し前記ロータンクの底側へ給水して、ロータンク内の水位の上昇により前記内タンク底面に設けた浮子が閉じ、さらに水位が上昇して、やがて前記内タンク内に上面側より水が流入されて該内タンク内の浮玉が浮上し、前記ボールタップを閉じるように構成したロータンクにおいて、前記内タンクの上面高さをプレートを用いて調整できるように構成したことを特徴とするロータンク構造。
【請求項２】
前記内タンクの上面側に凹部を開口させ、該凹部に着脱可能にプレートを取り付けたことを特徴とする請求項１に記載のロータンク構造。
【請求項３】
前記プレートが、上下に分離できる２以上のプレートで構成されている請求項２に記載のロータンク構造。
【請求項４】
前記プレートが、前記凹部に対する取付け高さを可変できる構造に形成されている請求項２に記載のロータンク構造。
【発明の詳細な説明】
【０００１】
【産業上の利用分野】
この発明は、水位調整が容易なロータンク構造に関するものである。
【０００２】
【従来の技術及びその課題】
従来、図１０に断面図で示すように、ロータンク５１内には、底側よりオーバーフロー管５２が立設されており、ロータンク５１内の上部部位にはボールタップ５３が取り付けられ、ボールタップ５３のアーム５３ａには調節ネジ５５を介し浮玉５４が連結されて構成されており、ロータンク５１内の水位の上昇により浮玉５４が上昇して、ボールタップ５３を所定水位の位置で閉じるように構成されている。
なお、便器の種類に応じて必要とする洗浄水の水量が違うために、従来では、前記オーバーフロー管５２の長さの違うロータンク５１を複数用意しておいて、所定のロータンク５１を適応する便器に取り付けており、便器の種類毎にオーバーフロー管５２の長さの違う複数のロータンク５１を用意せねばならないという問題点があり、また、従来では、オーバーフロー管５２の上端側のＷＬマークに水位が合うように、前記調節ネジ５５を微調整して水位調整を行っており、調節ネジ５５による微調整に時間が掛かってしまうという問題点があった。
【０００３】
【課題を解決するための手段】
本発明は上記従来の問題点に鑑み案出したものであって、オーバーフロー管を共通化して、１種類のロータンクで、あらゆる種類の便器に対応させることができるロータンク構造を提供せんことを目的とし、その第１の要旨は、ロータンク内に内タンクを設け、ボールタップを介し前記ロータンクの底側へ給水して、ロータンク内の水位の上昇により前記内タンク底面に設けた浮子が閉じ、さらに水位が上昇して、やがて前記内タンク内に上面側より水が流入されて該内タンク内の浮玉が浮上し、前記ボールタップを閉じるように構成したロータンクにおいて、前記内タンクの上面高さをプレートを用いて調整できるように構成したことである。
また、第２の要旨は、前記内タンクの上面側に凹部を開口させ、該凹部に着脱可能にプレートを取り付けたことである。
また、第３の要旨は、前記プレートが、上下に分離できる２以上のプレートで構成されていることである。
また、第４の要旨は、前記プレートが、前記凹部に対する取付け高さを可変できる構造に形成されていることである。
【０００４】
【実施例】
以下、本発明の実施例を図面に基づいて説明する。
図１は、ロータンクの正面断面構成図であり、図２は、図１の側面断面構成図である。
【０００５】
ロータンク１の内部には、底側よりオーバーフロー管２が立設されており、ロータンク１内の上部部位にはボールタップ３が取り付けられて、このボールタップ３のアーム３ａには、従来のように浮玉４が連結されているが、本例では、この浮玉４は、ロータンク１内に設けられた上面が解放された内タンク５内に上下動可能に配設されたものとなっており、内タンク５の前面上端側には、上プレート７と下プレート８が着脱可能に取り付けられたものとなっている。
なお、図中９は、ボールタップ３に給水するための給水管であり、また、図中１０は、ボールタップ３からロータンク１の底面側に向かって垂下されて下端に吐水口１０ａを有する吐水管である。
【０００６】
前記内タンク５の底側には上下動可能に浮子６が取り付けられたものとなっており、内タンク５の斜視図を図３に示し、また、浮子６の斜視図を図４に示し説明すると、内タンク５は、底面５ａと、側面５ｂ，５ｂと、前面５ｃと、背面５ｄで、上面が解放された有底箱状に形成されており、背面５ｄの上端には、引っ掛け部５ｅが形成されて、この引っ掛け部５ｅが、ロータンク１内の背面に引っ掛け状に取り付けられるものとなっている。また、前面５ｃの上端側には、コの字状に切り欠いて凹部１１が形成されている。また、底面５ａには、テーパー面１２ａを形成して上方側へ膨出する底孔１２が形成されたものとなっている。
【０００７】
一方、内タンク５の底面５ａの底孔１２に取り付けられる浮子６は、図４の斜視図で示すように、前記底孔１２のテーパー面１２ａに当接するテーパー面６ａを備えて、その上面側には、４本の立片６ｃ，６ｃ，６ｃ，６ｃが立設されており、各立片６ｃの上端には、外側へ突出して爪６ｄ，６ｄ，６ｄ，６ｄが一体形成されたものとなっており、この浮子６は、各立片６ｃを底孔１２に対し底側より上方へ差し込んで、爪６ｄ，６ｄ，６ｄ，６ｄを底孔１２の上面に掛止して、内タンク５の底面５ａに取り付けられ、洗浄水の存在しない状態では、浮子６は重力により下方へ移動して、爪６ｄ，６ｄ，６ｄが底孔１２の上面に係止されて底面５ａから吊り下げられた状態に保持されるものである。
【０００８】
次に、図５では、前記上プレート７と下プレート８の分解図を示すが、上プレート７及び下プレート８は上下に分離できて、それぞれ前記内タンク５の凹部１１内に嵌め込み固定させることができるように構成されている。
即ち、下プレート８の両側面には側溝８ｃが形成されており、この側溝８ｃ内には前記凹部１１の側壁１１ｂが嵌め込まれるものである。また、下プレート８の下面には下溝８ａが凹み状に形成されており、この下溝８ａ内に、凹部１１の下壁１１ａが嵌め込まれるものである。また、下プレート８の上面には上溝８ｂが凹み状に形成されており、この上溝８ｂ内には、上プレート７の下面に下方へ突出して形成された係合突起７ａが嵌め込まれるように構成されている。また、上プレート７の両側面にも、凹部１１の側壁１１ｂが嵌め込まれる側溝７ｂが凹み状に形成されている。
【０００９】
図１及び図２に示すように、内タンク５の底面には前述した図４の浮子６を取り付けておき、また、凹部１１には、上プレート７と下プレート８を連結状に取り付けておき、下プレート８と上プレート７が凹部１１に取り付けられた状態では、上プレート７の上面が、内タンク５の前面５ｃの上端とほぼ同一高さとなるように設定されている。
【００１０】
このような状態で、内タンク５内に上下動可能に配設されている浮玉４が下降した状態で、ボールタップ３が開かれて、給水管９からの給水がボールタップ３を通り吐水管１０の下端の吐水口１０ａから、ロータンク１の底側に向かって給水されて、これにより、ロータンク１内の底側から順次水位が上昇してくるが、水位の上昇により、先ず浮子６が浮き上がって上昇して、浮子６のテーパー面６ａが底孔１２のテーパー面１２ａに当接状態となると底孔１２は閉ざされることとなり、内タンク５には洗浄水が流入せず、その状態で、さらにロータンク１内の水位が上昇して、水位が上プレート７の上端を乗り越えると、この時点で、上面側より内タンク５内に洗浄水が流下されて、洗浄水は内タンク５の底側より徐々に上昇してゆき、この内タンク５内での水位の上昇により浮玉４が上昇して、やがてはボールタップ３が閉ざされて洗浄水の供給がその時点で止まり、この状態で、ロータンク１内の水位は内タンク５の上面の高さと整合した水位となる。
【００１１】
この水位に適合する便器にロータンク１が設置される場合は、このように上プレート７と下プレート８を凹部１１に嵌め付けて設置すれば良いが、別の便器にロータンク１を設置する際に、ロータンク１内の洗浄水量を少なくする必要がある時には、上プレート７を取り外して、下プレート８のみを凹部１１に取り付けておく。そうすれば、下プレート８の上端の水位までロータンク１内に洗浄水を溜めることができるものとなる。
さらに、ロータンク１を設置する便器が異なり、ロータンク１内の洗浄水量をさらに少なくする必要がある時には、下プレート８も凹部１１から取り外す。これにより、凹部１１の下壁１１ａの高さの水位までロータンク１内に洗浄水を溜めることができるものとなる。
【００１２】
このように、内タンク５の前面５ｃに形成した凹部１１にプレートを全く取り付けない状態では、ロータンク１内の洗浄水の水位を、最も低い水位とすることができ、また、下プレート８のみを凹部１１に取り付けた時には、中程度の水位となり、さらに下プレート８の上部に上プレート７を取り付けた時には、最も高い水位の洗浄水をロータンク１内に溜めることができるものとなり、上プレート７及び下プレート８の取り付け，取り外しのみの調整により、簡単にロータンク１内に溜める洗浄水の水位を調節して、ロータンク１を設置する便器の種類に対応させることができ、このため、ロータンク１内のオーバーフロー管２の長さは１種類のもので良く、オーバーフロー管２を共通化できて、ロータンク１は１種類のものを用意しておけば、数種類の便器に対応させてロータンクの設置が可能となり、ロータンク１のコストを低減させることができるものとなる。
【００１３】
次に、図６，図７，図８では第２実施例を示す。
図６の側面図で、また図７の正面図で示すような形状に、前記内タンク５を形成させておく。
即ち、図６及び図７に示す第２実施例の内タンク５では、前記前面５ｃの前側に、隙間を形成して、さらに前壁１３が前面５ｃと平行状に設けられたものであり、この前壁１３には、内側に一対の内ガイド溝１５が縦方向に形成されており、その外側に、上下寸法の長い外ガイド溝１６，１６が一対縦方向に形成されたものとなっている。また、前記前面５ｃにも、ガイド溝１４，１４が、凹部１１の下端の下壁１１ａから下方に向かって縦方向に形成されたものとなっている。一方、第２実施例のプレート１７は、水平方向の水平突起１８から、下方側に向かって寸法の短い縦短突起１９，１９が一対縦方向に形成されており、また、水平突起１８よりも上側には、寸法の長い縦長突起２０，２０が一対縦方向に形成されたものとなっている。
【００１４】
このような構成においては、プレート１７の縦短突起１９，１９を内タンク５の前面５ｃのガイド溝１４，１４内に上方から差し込んで、プレート１７を凹部１１に嵌め付けることにより、最も高い水位を得ることができ、次いで、プレート１７の縦短突起１９，１９を、前壁１３の内ガイド溝１５，１５に取り付けることにより、中位の水位を得ることができ、また、プレート１７を裏返して、縦長突起２０，２０を前壁１３の外ガイド溝１６に取り付けることにより、最も低い水位を得ることができるものとなり、プレート１７の取付位置を３段階に変化させて、水位を高，中，低と容易に調整することができるものとなり、プレート１７の取付位置を変えるだけで簡単に水位調整が可能となる。
従って、本例においても、ロータンク１はオーバーフロー管２を共通化できて、ロータンク１は１種類のものを製作しておけば良く、設置する便器の種類に対応して、容易に貯留する洗浄水の水位を調整できるものとなり、水位の調整作業も容易なものとなる。
【００１５】
次に、図９は第３実施例のプレート２１の斜視図を示すものであり、第３実施例では、内タンク５は図３に示すような第１実施例と同一のものを用い、プレート２１のみの形状を変化させたものである。
即ち、図９において、プレート２１は、平行に配設された３枚の前板２１ａ，中板２１ｂ，後板２１ｃを有しており、前板２１ａと中板２１ｂ間は、低い位置に水平に配置された連結水平部２１ｄで連結されており、また、中板２１ｂと後板２１ｃは、高い位置に配設された連結水平部２１ｅで連結されたものとなっており、前記連結水平部２１ｄの下部には、前板２１ａと中板２１ｂ間に溝状の高位溝Ｍ１が形成され、連結水平部２１ｄの上部には、低位溝Ｍ３が形成され、また、前記連結水平部２１ｅの下部には、中板２１ｂと後板２１ｃ間に溝状の中位溝Ｍ２が形成されたものとなっている。
【００１６】
このような構造のプレート２１においては、内タンク５の凹部１１の下縁の下壁１１ａに、プレート２１の高位溝Ｍ１を嵌め込んでプレート２１を取り付けた時には、最も高い水位が得られることとなり、凹部１１の下壁１１ａに中位溝Ｍ２を嵌め込んだ時には、中程度の水位が得られ、さらにプレート２１を反転させて、凹部１１の下壁１１ａに低位溝Ｍ３を嵌め込んだ時には、最も低い水位が得られるものとなり、プレート２１を嵌め込む溝Ｍ１，Ｍ２，Ｍ３を、適宜選択して凹部１１に取り付けることにより、容易にロータンク１内に溜まる洗浄水の水位を調節することができ、水位の調整作業が簡単に行えて、オーバーフロー管２を共通化した１種類のロータンク１を用意しておけば良く、数種類の便器に良好に対応させてロータンク１を設置することができるものとなる。
【００１７】
【発明の効果】
本発明は、ロータンク内に内タンクを設け、ボールタップを介し前記ロータンクの底側へ給水して、ロータンク内の水位の上昇により前記内タンク底面に設けた浮子が閉じ、さらに水位が上昇して、やがて前記内タンク内に上面側より水が流入されて該内タンク内の浮玉が浮上し、前記ボールタップを閉じるように構成したロータンクにおいて、前記内タンクの上面高さをプレートを用いて調整できるように構成したことにより、プレートにより容易にロータンク内に溜まる洗浄水の水位を調節することができ、水位調整作業が容易であり、ロータンクはオーバーフロー管を共通化させて１種類のものを製作しておけば、数種類の便器に対応させて設置することが可能となり、ロータンクのコストを低減させることができるものとなる。
【００１８】
また、前記内タンクの上面側に凹部を開口させ、該凹部に着脱可能にプレートを取り付けたことにより、内タンクの凹部に対して容易にプレートを着脱させて水位を調整することができ、水位調整作業が極めて容易に短時間で行えるものとなる。
【００１９】
また、前記プレートを、上下に分離できる２以上のプレートで構成したことにより、プレートが２以上で構成されているため、凹部に着脱するプレートの数を適宜変更させて、水位を２段階以上に容易に調整することができるものとなる。
【００２０】
また、前記プレートを、前記凹部に対する取付け高さを可変できる構造に形成したことにより、プレートの取付け高さを変化させることにより容易に水位調整を行うことができ、水位調整作業が容易で短時間で行うことができるものとなる。
【図面の簡単な説明】
【図１】ロータンクの正面断面構成図である。
【図２】図１の側面構成図である。
【図３】内タンクの斜視構成図である。
【図４】浮子の斜視構成図である。
【図５】第１実施例の上プレートと下プレートの分解斜視図である。
【図６】第２実施例の内タンクの側面構成図である。
【図７】第２実施例の内タンクの正面構成図である。
【図８】第２実施例のプレートの正面構成図である。
【図９】第３実施例のプレートの斜視構成図である。
【図１０】従来のロータンクの正面断面構成図である。
【符号の説明】
１  ロータンク
２  オーバーフロー管
３  ボールタップ
４  浮玉
５  内タンク
５ａ  底面
５ｃ  前面
６  浮子
６ａ  テーパー面
６ｃ  立片
６ｄ  爪
７  上プレート
７ａ  係合突起
７ｂ  側溝
８  下プレート
８ａ  下溝
８ｂ  上溝
８ｃ  側溝
９  給水管
１０  吐水管
１０ａ  吐水口
１１  凹部
１１ａ  下壁
１１ｂ  側壁
１２  底孔
１２ａ  テーパー面
１３  前壁
１４  ガイド溝
１５  内ガイド溝
１６  外ガイド溝
１７  プレート
１８  水平突起
１９  縦短突起
２０  縦長突起
２１  プレート
２１ａ  前板
２１ｂ  中板
２１ｃ  後板
２１ｄ，２１ｅ  連結水平部
Ｍ１  高位溝
Ｍ２  中位溝
Ｍ３  低位溝
【図１】
0003648678.tif 000002
【図２】
0003648678.tif 000003
【図３】
0003648678.tif 000004
【図４】
0003648678.tif 000005
【図５】
0003648678.tif 000006
【図６】
0003648678.tif 000007
【図７】
0003648678.tif 000008
【図８】
0003648678.tif 000009
【図９】
0003648678.tif 000010
【図１０】
0003648678.tif 000011